(57)【要約】      （修正有）【課題】花を貰った人に喜ばれるような演出効果を発揮することが出来る花用ギフトパッケージを提供する。【解決手段】周壁部材１８の展開、即ち、周壁部材１８を構成する複数の板状体４８ｂ，４８ｃ，４８ｄ等の展開に連動して支持部材１６の支持方向を変化させる。これにより、支持部材１６によって基端部１４が支持された花１２が、周壁２０内に収容された状態から起き上がる。その結果、支持部材１６によって基端部１４が支持された花１２が外部に露出される。【選択図】図３
0003142958.tif 000002
【実用新案登録請求の範囲】
【請求項１】
花の基端部を支持する支持部材と、
複数の板状体を互いに折り曲げ可能に連結することで構成されており、該複数の板状体を筒状にすることで前記支持部材の周りを取り囲んで前記花を収容する周壁を構成する一方、該複数の板状体を展開することで該支持部材に支持された該花を外部に露出させる周壁部材と、
該周壁部材の展開に連動して前記支持部材の支持方向を変化させることにより、該支持部材で支持された前記花を前記周壁内に収容された状態から起き上がらせる連動起立手段と
を、備えていることを特徴とする花用ギフトパッケージ。
【請求項２】
前記花の基端部が挿し込まれて、前記支持部材が筒状の前記周壁によって周りを取り囲まれた状態で、筒状の該周壁の中心軸方向に開口する一方、該支持部材が起き上がった状態で、展開された前記複数の板状体に対して４５〜１３５度の傾斜角度をもった方向に開口する挿込孔が、該支持部材に形成されており、該挿込孔に対して該花の基端部が挿し込まれることで、該花の基端部が該支持部材によって支持されるようになっている請求項１に記載の花用ギフトパッケージ。
【請求項３】
前記支持部材が枠体構造とされており、その周壁部に対して前記挿込孔が形成されている請求項２に記載の花用ギフトパッケージ。
【請求項４】
前記支持部材が前記周壁によって周りを取り囲まれた状態で、該支持部材が前記複数の板状体の全てに当接せしめられている請求項１乃至３の何れか１項に記載の花用ギフトパッケージ。
【請求項５】
前記支持部材が前記連動起立手段で起き上がらされることにより、該支持部材が前記周壁部材を構成する何れかの前記板状体の上に載置状態となるようにされている請求項１乃至４の何れか１項に記載の花用ギフトパッケージ。
【請求項６】
前記支持部材が起き上がった状態で、該支持部材を前記周壁部材に対して位置保持せしめる起立状態保持手段を備えている請求項１乃至５の何れか１項に記載の花用ギフトパッケージ。
【請求項７】
前記周壁部材を展開状態に保持する展開状態保持手段を備えている請求項１乃至６の何れか１項に記載の花用ギフトパッケージ。
【請求項８】
前記複数の板状体が筒状とされた状態を保持する筒状態保持手段を備えている請求項１乃至７の何れか１項に記載の花用ギフトパッケージ。
【請求項９】
前記複数の板状体の展開方向に直交する方向の一端側において、前記支持部材が取り付けられている請求項１乃至８の何れか１項に記載の花用ギフトパッケージ。
【請求項１０】
前記複数の板状体の展開方向に直交する方向の他端側において、前記周壁の開口を覆蓋する蓋部材が取り付けられている請求項９に記載の花用ギフトパッケージ。
【考案の詳細な説明】
【技術分野】
【０００１】
本考案は、贈り物として花を贈る際に用いられる花用ギフトパッケージに関するものである。
【背景技術】
【０００２】
従来から、お祝い等の際に贈り物を贈ることが行われている。かかる贈り物の代表例として、生花やドライフラワー，プリザーブドフラワー等の花が挙げられる。
【０００３】
ところで、贈り物として花を贈る場合、花をそのまま贈ることはなく、例えば、ラッピングフィルムを巻き付けたり、リボンを括り付ける等して、花に何等かの装飾を施した状態で贈るのが、一般的である。そして、このような状態で花を贈ることにより、花の贈り物としての価値が何倍にも膨れ上がる。即ち、贈り物としての価値は、贈り物に施される装飾によって、左右されるのである。
【０００４】
そこにおいて、贈り物に装飾を施す場合、贈り物そのものに装飾を施すことよりも、贈り物の包装に装飾を施すことのほうが一般的に行われている。これは、花を贈り物とする場合であっても同じである。
【０００５】
そこで、花を贈り物とする場合の包装について考えると、先ず思いつくのが、ラッピングフィルムを巻き付けることである。この場合、ラッピングフィルムそのものに装飾を施すこと等によって、装飾効果を発揮することが出来る。しかしながら、花を貰った人に喜んで貰えるような演出効果を発揮することは難しい。加えて、外部からの衝撃に弱いことから、持ち運びが不便という問題もある。
【０００６】
また、特許文献１乃至３に記載の如き箱型容器に花を収容して贈ることも考えられる。この場合、箱型容器の表面に装飾を施すこと等によって、装飾効果を発揮することが出来る。また、外部からの衝撃に強くなることから、持ち運びが容易になる。しかしながら、ラッピングフィルムを巻き付ける場合と同様に、花を貰った人に喜ばれるような演出効果を発揮することが難しいという問題がある。
【０００７】
なお、特許文献４〜６（米国特許第４００６８２１号明細書，米国特許第３０７４５３９号明細書，米国特許第５５３３６２５号明細書）等に記載されているように、ドリル用ビット等の保存ケースとしては、蓋体の開操作と連動して収容されたドリル用ビットを立ち上げるようにした構造が提案されている。しかし、これらの保存ケースは、ドリル用ビット等の工具類の分野においてのみ提案されているに過ぎない。ましてや、そのような機械類の生産現場で使用される機能的な工具類に対して、本考案が対象とする美的で装飾的な贈花は、完全に対極に位置すると観念されるものであり、それらを取り扱う業者等も全く相違するものである。即ち、本考案の課題でもある上述の如き花を贈られた人が一層喜ぶような装飾効果や演出効果は、贈り物である花用ギフトパッケージに特徴的なものであって、ドリル用ビット等の工具類の保存ケースに要求される課題とは異質であり、工具類の保存ケースに要求されるものでは決してないのである。それ故、これら特許文献４〜６に開示されたドリル用ビット等の保存ケースが、花用ギフトパッケージを対象とする本考案に対して、何等の示唆をも為し得るものであろうはずがない。
【０００８】
このことは、事実として、花用ギフトパッケージの従来構造品をみれば明白である。即ち、現状で使用されている花用ギフトパッケージは勿論、特許等として提案されている花用ギフトパッケージでさえも、特許文献７〜８（実開平６−４２７７１号，実開平６−４２７７２号）に示されているように、単に板紙を適当に折り畳んで中空の筒状体としたに過ぎない構造なのである。
【０００９】
【特許文献１】実開平６−３５１０８号公報
【特許文献２】実公昭６１−１０９１号公報
【特許文献３】特開２０００−７２１３１号公報
【特許文献４】米国特許第４００６８２１号明細書
【特許文献５】米国特許第３０７４５３９号明細書
【特許文献６】米国特許第５５３３６２５号明細書
【特許文献７】実開平６−４２７７１号公報
【特許文献８】実開平６−４２７７２号公報
【考案の開示】
【考案が解決しようとする課題】
【００１０】
ここにおいて、本考案は、上述の如き事情を背景として為されたものであって、その解決課題とするところは、花を貰った人に喜ばれるような演出効果を発揮することが出来る、新規な構造の花用ギフトパッケージを提供することにある。
【課題を解決するための手段】
【００１１】
以下、このような課題を解決するために為された本考案の態様を記載する。なお、以下に記載の各態様において採用される構成要素は、可能な限り任意の組み合わせで採用可能である。
【００１２】
本考案の花用ギフトパッケージは、花の基端部を支持する支持部材を備えていると共に、複数の板状体を互いに折り曲げ可能に連結することで構成されており、複数の板状体を筒状にすることで支持部材の周りを取り囲んで花を収容する周壁を構成する一方、複数の板状体を展開することで支持部材に支持された花を外部に露出させる周壁部材を備えていることを、特徴とする。また、本考案の花用ギフトパッケージは、周壁部材の展開に連動して支持部材の支持方向を変化させることにより、支持部材で支持された花を周壁内に収容された状態から起き上がらせる連動起立手段を備えていることも、特徴とする。
【００１３】
このような本考案に従う構造とされた花用ギフトパッケージにおいては、周壁部材の展開、即ち、周壁部材を構成する複数の板状体の展開に連動して支持部材の支持方向が変化せしめられることで、支持部材によって支持された花が周壁内に収容された状態から起き上がるようになっていることから、例えば、複数の板状体の展開方向や花の起き上がる方向等を適当に設定することにより、周壁部材を展開した人、即ち、花用ギフトパッケージを開けた人の側に向って花を起き上がらせることが可能となる。これにより、花用ギフトパッケージを開けた人に対して、花を花用ギフトパッケージから取り出して、目の前に差し出してもらったような印象を与えることが可能となる。その結果、花用ギフトパッケージを開けた人を、驚かせつつも、喜ばせることが可能となる。
【００１４】
従って、本考案の花用ギフトパッケージにおいては、花を贈られた人が喜ぶような演出効果を発揮することが可能となる。
【００１５】
なお、本考案において、花とは、花の如き外観を呈していれば、切花や鉢植草花等の生花に限定されることはなく、例えば、ドライフラワーやプリザーブドフラワー等のように、生の草花に対して何等かの処理を施したものや、造花等も含まれるものとする。また、本考案において、支持部材によって支持される花の基端部とは、茎そのものであっても良いし、或いは、花が花瓶や鉢等の容器に入れられている場合には、その容器であっても良い。
【００１６】
更にまた、本考案において、支持部材とは、花の基端部を支持し得る構造であれば、特に限定されることはないが、花の基端部が挿し込まれる挿通孔が形成されており、かかる挿通孔に対して花の基端部が挿し込まれることで、花の基端部が支持されるようになっていることが望ましい。これにより、花の基端部を支持部材によって支持させる際の作業を、挿通孔に対して花の基端部を挿し込むという極めて簡単な作業によって、有利に実現することが可能となる。加えて、支持部材の構造の簡略化を図ることも可能となる。そこにおいて、花の基端部が挿し込まれる挿通孔が形成された支持部材を採用する場合、かかる挿通孔は、支持部材が筒状の周壁によって周りを取り囲まれた状態で、筒状の周壁の中心軸方向に開口する一方、支持部材が起き上がった状態で、展開された複数の板状体に対して４５〜１３５度の傾斜角度をもった方向に開口することが望ましい。これにより、花の収容状態と起立状態を有利に実現することが可能となる。なお、支持部材が起き上がった状態での挿通孔の開口方向は、展開された複数の板状体に対して４５〜１３５度の傾斜角度をもった方向に限定されることはない。
【００１７】
また、本考案の挿込孔は、花の基端部の断面に対応した断面形状で、予め形成されていても良いが、例えば、放射状に形成された切り込み等のように、その周囲が変形せしめられることで花の基端部が挿し込まれる挿込孔が形成されるものであっても良い。
【００１８】
そこにおいて、花の基端部は、挿込孔に対して、圧入状態で挿し込まれることが望ましい。これにより、挿込孔の開口方向に直交する方向への花の基端部の移動を阻止することが可能となる。また、花の基端部の外周面と挿込孔の内周面との間に発生する摩擦抵抗を利用することにより、挿込孔の開口方向への花の基端部の移動を阻止することが可能となる。その結果、花の基端部の位置保持を有利に実現することが可能となる。
【００１９】
また、上述の如く、花の基端部が挿し込まれる挿込孔が形成されている支持部材を採用する場合、かかる支持部材が枠体構造とされており、その周壁部に対して挿込孔が形成されていることが望ましい。これにより、支持部材において必要な部材強度を確保しつつ、支持部材の製造を容易にすることが可能となる。
【００２０】
そこにおいて、枠体構造とされた支持部材における周壁部に対して挿込孔が形成されている場合、挿込孔の開口周縁部には、花の基端部が挿込孔に挿し込まれた状態で花の基端部に対して接触する接触片が形成されていることが望ましい。これにより、接触片と花の基端部との間に発生する摩擦抵抗を利用して、花の基端部の挿込孔からの抜け出しを阻止することが可能となる。その結果、周壁部の厚さ寸法を大きくして、挿込孔の内周面が花の基端部の外周面と接触する面積を大きく確保する必要がなくなる。なお、このような接触片は、例えば、開口の周縁部に対して周方向に適当な間隔を空けて複数の切り込みを形成したり、複数の切り込みを放射状に形成すること等によって、有利に形成することが可能となる。
【００２１】
また、本考案において、板状体の形成材料は、周壁内に収容される花を外部からの衝撃より保護することが出来る程度の硬さを有していれば、特に限定されることはなく、例えば、硬質の合成樹脂材や金属材，木材，藁パルプ・屑ボール紙などを主原料とした板紙（所謂、ボール紙），波状に成形した紙の片面または両面に厚紙を貼り合わせた板紙（所謂、段ボール）等が、何れも、採用可能であるが、特に、（１）軽量である点と（２）加工が容易である点から、ボール紙やダンボール等が好適に採用される。
【００２２】
そこにおいて、板状体の形成材料として、ボール紙やダンボール等のように、水分を含み易い材料を採用する場合には、少なくとも筒状とされた状態での内周面側に対して防水加工を施しておくことが望ましい。これにより、外部への水漏れを回避することが可能となる。
【００２３】
また、本考案の板状体は、平板形状に限定されることはなく、湾曲板形状であっても良い。更に、複数の板状体は、その全てが同じ材料によって形成されている必要はない。更にまた、板状体の少なくとも一方の面に対して、ゴム材料や発泡樹脂等によって形成された緩衝部材を貼り付けるようにしても良い。
【００２４】
また、本考案において、複数の板状体を互いに折り曲げ可能に連結する方法としては、例えば、板状体が金属材や木材，硬質の合成樹脂材等で形成されている場合、隣り合う二つの板状体を蝶番で連結する方法や、板状体の全体を合成樹脂製のフィルムでコーティングし、隣り合う二つの板状体のそれぞれをコーティングするフィルムの端同士を溶着することで連結する方法等が採用される。更にまた、板状体がボール紙やダンボール等で形成されている場合には、一枚のボール紙やダンボールに折り目を付けて、かかる折り目で一枚のボール紙やダンボールを折り曲げ可能にすることにより、複数の板状体を予め連結した状態で形成する方法等が採用される。即ち、本考案において、複数の板状体は、予め分割形成されている必要はないのである。
【００２５】
また、本考案において、「複数の板状体を筒状にする」とは、少なくとも一つの板状体を他の板状体に重ね合わせるようにして筒状にすることも含むものとする。即ち、本考案の周壁は、その一部分において、板状体が重ね合わされていることにより、厚さ寸法が大きくされているものも含む。
【００２６】
さらに、本考案において、周壁の開口断面は、周壁内に収容される花等に応じて、その大きさや形状が設定される。そこにおいて、周壁の開口断面の大きさは、周壁内に収容される花を押し潰さない程度の大きさが望ましい。これにより、花を周壁内に収容した際に、花が周壁によって押し潰されてしまう不具合を回避することが可能となる。また、周壁の開口断面形状としては、円形や楕円形，多角形、更には、それらの歪んだもの等、各種の形状が採用される。
【００２７】
更にまた、本考案において、「周壁部材の展開に連動して支持部材の支持方向を変化させる」とは、周壁部材を構成する複数の板状体の展開中の動きに基づいて支持部材の支持方向を変化させる場合のみならず、複数の板状体の展開をきっかけとして支持部材の支持方向を変化させる場合も含むものとする。
【００２８】
そこにおいて、周壁部材を構成する複数の板状体の展開中の動きに基づいて支持部材の支持方向を変化させる場合、より好適には、連動起立手段は、複数の板状体において支持部材が起き上がる際の支点が接触する板状体の左右両側に位置する板状体のそれぞれと支持部材を連結し、かかる左右両側の板状体の展開に伴って引っ張られることにより、支持部材を起き上がらせて、支持部材の支持方向を変化させる駆動力伝達テープを含んで構成されていることが望ましい。これにより、周壁部材の展開に連動した支持部材の支持方向の変化を、簡単な構造で有利に実現することが可能となる。
【００２９】
なお、上述の如き駆動力伝達テープを採用する場合、かかる駆動力伝達テープは、支持部材が起き上がる際の支点が接触する板状体の左右両側に位置する板状体の間に架け渡されて、その中央部分に支持部材が取り付けられる一つのテープで構成されていても良いし、或いは、支持部材が起き上がる際の支点が接触する板状体の左右両側に位置する板状体の一方と支持部材を連結する第一のテープと、かかる左右両側の板状体の他方と支持部材を連結する第二のテープによって構成されていても良い。
【００３０】
また、複数の板状体の展開をきっかけとして支持部材の支持方向を変化させる場合、連動起立手段は、支持部材を起立方向に常時付勢するばね部材等で構成することが出来る。そこにおいて、支持部材を起立方向に常時付勢するばね部材で連動起立手段を構成する場合、かかるばね部材は、従来から公知の圧縮コイルスプリングでも良いし、ボール紙やダンボール等を折り曲げたものでも良い。なお、複数の板状体の展開をきっかけとする場合、そのきっかけは、展開開始時であっても良いし、予め定められた状態まで展開が進行することであっても良いし、展開終了時であっても良い。
【００３１】
さらに、本考案においては、支持部材が周壁によって周りを取り囲まれた状態で、支持部材を複数の板状体の全てに当接させることも可能である。これにより、支持部材が当接している部分とその付近において、外力が作用することによる周壁断面の変形を回避することが可能となる。
【００３２】
また、本考案においては、後述する第一〜四の実施形態に示されているように、支持部材が連動起立手段で起き上がらされることにより、該支持部材が周壁部材を構成する板状体から外方へはみ出して位置せしめられる構成の他、後述する第五〜六の実施形態に示されているように、支持部材が連動起立手段で起き上がらせられることにより、該支持部材が何れかの板状体の上に載置状態となるようにされる構成も、採用可能である。
【００３３】
更にまた、本考案においては、支持部材が起き上がった状態で、支持部材を周壁部材に対して位置保持せしめる起立状態保持手段を備えていることが望ましい。これにより、支持部材で支持された花を花器に移しかえることなく、そのまま飾ることが可能となる。
【００３４】
そこにおいて、上述の如き起立状態保持手段は、前記連動起立手段によって構成されていても良い。具体的には、後述する実施形態においては、図４に示す帯状取付片５０によって連動起立手段が構成されているが、この帯状取付片５０を構成する紙片等による塑性変形作用や、拡開された帯板状片４８ａ，４８ｂ，４８ｃに対する帯状取付片５０を介しての支持部材１６の位置決め作用などを利用して、特別に起立状態保持手段を別途設けることなく、支持部材１６を起き上がった状態に保持することが出来るように構成することが可能である。
【００３５】
なお、かかる起立状態保持手段は、支持部材の周壁部材に対する位置保持状態を解除可能なものであっても良いし、解除不能なものであっても良い。起立状態保持手段を、連動起立手段と別途に設ける場合について例示すると、支持部材の周壁部材に対する位置保持状態が解除可能なものとしては、例えば、磁石を利用したものや、フック状とパイル状との二枚を噛み合わせることで着脱自在とされた布製のテープを利用したもの，スナップ（押しホック）を利用したもの，係止片による係止作用を利用したもの等が考えられる。また、支持部材の周壁部材に対する位置保持状態が解除不能なものとしては、例えば、接着テープを利用したもの等が考えられる。そして、支持部材の周壁部材に対する位置保持状態が解除可能な起立状態保持手段を採用する場合、花用ギフトパッケージの再利用が容易に可能となる。
【００３６】
また、本考案においては、周壁部材を展開状態に保持する展開状態保持手段を備えていることが望ましい。これにより、周壁部材の展開に連動して支持方向が変化する支持部材の起立状態を安定させることが可能となる。特に、本考案においては、かかる展開状態保持手段と起立状態保持手段の両方を備えていることが望ましく、それによって、支持部材の起立状態の更なる安定化を図ることが可能となる。なお、本考案の展開状態保持手段は、複数の板状体の展開を阻止し得るものであれば、特に限定されることなく、例えば、複数の板状体の展開方向両端に位置する板状体の間に架け渡される架渡部材等で構成することが出来る。
【００３７】
更にまた、本考案においては、複数の板状体が筒状とされた状態を保持する筒状態保持手段を備えていることが望ましい。これにより、複数の板状体が筒状とされている状態、即ち、支持部材の周りが周壁によって取り囲まれた状態を保持することが容易に可能となる。なお、本考案の筒状態保持手段は、複数の板状体が筒状とされている状態を解除可能な構成であれば、特に限定されることはなく、例えば、リボンやスナップ（押しホック），フック状とパイル状との二枚を噛み合わせることで着脱自在とされた布製のテープ等で構成することが出来る。
【００３８】
また、本考案においては、複数の板状体の展開方向に直交する方向の一端側において、支持部材が取り付けられていることが望ましい。これにより、周壁内で花が収容されるスペースを有利に確保することが可能となる。
【００３９】
また、この場合、複数の板状体の展開方向に直交する方向の他端側において、周壁の開口を覆蓋する蓋部材が取り付けられていることが望ましい。これにより、支持部材が取り付けられた側とは反対の側から周壁内を覗こうとした場合、そのままでは蓋部材が邪魔で周壁内に収容された花が見えないことから、蓋部材による開口の覆蓋状態を解除することが必要になる一方、支持部材が取り付けられた側から周壁内を覗こうとした場合、支持部材が邪魔になって、周壁内に収容されている花が見えなかったり、或いは、見えたとしてもその種類等の特定が困難になる。その結果、花用ギフトパッケージを貰った人に対して、花用ギフトパッケージを開ける楽しみや、どのような花が花用ギフトパッケージ内に入っているかを想像する楽しみを与えることが可能となる。
【００４０】
そこにおいて、本考案の蓋部材は、複数の板状体が筒状とされている場合において、その開口覆蓋状態を解除することが出来るようになっていても良いが、解除出来ないようになっていることが望ましい。これにより、複数の板状体が筒状とされている際に、その開口覆蓋状態を解除して、周壁内を覗くことが出来ないようにすることが可能となる。そして、複数の板状体が筒状とされている際における蓋部材による開口覆蓋状態を解除不能にする方法としては、例えば、蓋部材による周壁開口の覆蓋を複数の板状体の展開に連動させる方法等が採用される。なお、蓋部材による周壁開口の覆蓋を複数の板状体の展開に連動させる方法は、周壁部材の展開に連動して支持部材の支持方向を変化させる場合と同様な方法が採用される。
【００４１】
また、上述の如く、支持部材が取り付けられた側と反対側において、周壁の開口を覆蓋する蓋部材が取り付けられている場合、支持部材が周壁によって周りを取り囲まれた状態で、支持部材が複数の板状体の全てに当接せしめられていることが望ましい。これにより、外力が作用することによる周壁断面の変形を周壁の軸方向（開口方向）の全体に亘って阻止することが可能となる。
【００４２】
更にまた、本考案においては、好適には、以下の態様が採用され得る。即ち、板状体によって矩形筒状の周壁が構成されるようになっていると共に、周壁における周上の一箇所に設けた開閉部において開閉操作可能とされており、矩形筒状の周壁の長手方向一方の下側端部近くにおいて、周壁を構成する一つの板状体である中央壁板を跨ぐようにしてその両隣に位置する左壁板および右壁板の間に亘って駆動力伝達部材が配されており、駆動力伝達部材は、周壁が開閉部で開かれて中央壁板と左右壁板とが平面状とされた展開状態で中央壁板に重なる中央台板部と左右壁板に重なる左右伝動板部とが相互に屈曲可能に連結されることによって構成されており、駆動力伝達部材の左伝動板部側の端部が周壁の左壁板に固着されていると共に、駆動力伝達部材の右伝動板部側の端部が周壁の右壁板に固着されており、中央台板部で支持部材が支持されて、周壁の展開状態において支持部材が周壁の中央壁板から突出せしめられ、支持部材で支持された花が周壁の中央壁板から起き上がった状態に支持されるようになっている一方、かかる周壁の左右壁板が展開状態から閉操作されて相互に接近せしめられることに伴って、駆動力伝達部材が、中央台板部と左右伝動板部との連結部分で屈曲せしめられつつ周壁の中央壁板および左右壁板から離隔する方向に立ち上げられ、周壁の左右壁板が閉状態とされることによって、中央台板部によって支持された支持部材が周壁の中央壁板に沿って寝かされ、支持部材で支持された花が閉じられて矩形筒状とされた周壁内で軸方向に延びるように収容されるようにすることも可能である。
【００４３】
また、このような中央台板部と左右伝動板部からなる駆動力伝達部材を用いる場合には、駆動力伝達部材における中央台板部が、周壁の展開状態で中央壁板に重ね合わされた状態で周壁における長手方向一方の下側端縁部が中央壁板に対して屈曲可能に連結されており、周壁の左右壁板の閉操作に伴って中央台板部が中央壁板から立ち上げられることによって、周壁の左右壁板の閉状態下において周壁の長手方向一方の下底側開口部において中央台板部が周壁の軸直角方向に広がって配設されるようにすることが望ましい。
【００４４】
さらに、このような場合においては、駆動力伝達部材における中央台板部が、矩形筒状の周壁の断面形状に対応する矩形平板形状とされており、周壁の矩形筒状とされた閉状態下において、周壁の長手方向一方の下底側開口部で中央台板部が下底蓋体とされるようになっていることが望ましい。
【００４５】
また、上述のように、駆動力伝達部材における中央台板部が下側端縁部で中央壁板に連結される構造とした場合には、中央台板部には、中央壁板に対して屈曲可能に連結された端縁部と反対側の上側端縁部に対して、支持部材が屈曲可能に取り付けられており、周壁の左右壁板の閉状態下では、周壁内で中央壁板から立ち上げられて中央台板部の内面に対して支持部材が重ね合わされるようにして周壁内に収容配置される一方、周壁の左右壁板の開操作に際して、支持部材が、中央台板部に屈曲状態で取り付けられた部分において中央壁板上で展張せしめられて回動変位することにより、中央壁板から突出せしめられるようになっていることが望ましい。このような構造を採用することにより、周壁を開状態とした際に、支持部材が花用ギフトパッケージの軸方向中央部分に導かれて立ち上がることとなって、開状態における安定性や審美性を向上させることができる。
【００４６】
また、この場合には、支持部材が、周壁の内面形状に対応した矩形箱体形状とされており、その矩形底面の一端縁部において中央台板部に対して屈曲可能に取り付けられていると共に、矩形底面の他端縁部が角を落とした面取部分とされており、この面取部分において、周壁の左右壁板の開操作に際して支持部材が中央壁板の上を滑動するようにして展張および回動変位せしめられるようにすることが望ましい。これにより、周壁の左右壁板の開操作に伴う支持部材の立ち上がり動作をより円滑に行わせることができる。
【００４７】
一方、中央台板部と左右伝動板部からなる駆動力伝達部材を用いる場合において、駆動力伝達部材における中央台板部が、周壁の展開状態で中央壁板に重ね合わされた状態で周壁における長手方向他方の上側端縁部が中央壁板に対して屈曲可能に連結されており、周壁の左右壁板の閉操作に伴って中央台板部が中央壁板から立ち上げられることによって、周壁の左右壁板の閉状態下において周壁の長手方向一方の下底側開口部において中央台板部が周壁の軸直角方向に広がって配設されるようにすることも可能である。
【００４８】
さらに、この場合、周壁の中央壁板の長手方向一方の下側端縁部から延び出すようにして矩形板状の下底蓋部が屈曲可能に設けられていると共に、下底蓋部には、駆動力伝達部材における中央台板部における中央壁板に対して屈曲可能に連結された上側端縁部と反対側の下側端縁部から延び出した連動板部の先端部が連設されており、周壁の左右壁板の閉操作に伴う中央台板部の中央壁板からの立ち上がり作動が、連動板部を介して、下底蓋部に伝達されて、下底蓋部が中央壁板に対して屈曲せしめられることにより、かかる周壁の左右壁板の閉操作に連動して下底蓋部が周壁の下底側開口部を覆蓋するようになっていることが望ましい。これにより、左右壁板を開状態に展開せしめる操作に伴って、連動板部の作用により下底蓋部も連動して展開状態とされることとなり、下底蓋部が不必要に立ち上がったままとされることが防止され、花用ギフトパッケージを開いた際の美観を向上させることができる。
【００４９】
更にまた、中央台板部と左右伝動板部からなる駆動力伝達部材を用いる場合においては、周壁が開閉部で開かれて中央壁板と左右壁板の展開状態において、それら中央壁板と左右壁板に対して駆動力伝達部材が密着状態で重ね合わされると共に、かかる周壁の開状態下でも中央壁板と左右壁板の連結部位において残存する僅かな閉方向への屈曲状態が、そこに重ね合わされた駆動力伝達部材においても中央台板部と左右伝動板部の連結部位において同様に生ぜしめられることにより、周壁のそれ以上の閉方向への作動が駆動力伝達部材が突っ張ることで阻止されると共に、駆動力伝動板部における中央台板部の周壁における中央壁板からの立ち上がりも阻止して、中央台板部で支持された支持部材を起き上がった状態に保持する起立状態保持手段が構成されているようにすることが望ましい。これにより、特別な係止部材等を別途設けることなく、周壁の展開状態における左右壁板が閉状態へ戻ろうとする力を利用して、支持部材を起き上がり状態に固定的に保持せしめて、支持部材の不必要な傾動を防止することが可能となる。
【考案を実施するための最良の形態】
【００５０】
以下、本考案を更に具体的に明らかにするために、本考案の実施形態について、図面を参照しつつ、詳細に説明する。
【００５１】
先ず、図１乃至図６には、本考案の第一の実施形態としての花用ギフトパッケージ１０が示されている。この花用ギフトパッケージ１０は、花１２の基端部（本実施形態では、茎の下端部分）１４を支持する支持部材１６が周壁部材１８によって構成された周壁２０内に収容された構造とされている。
【００５２】
より詳細には、本実施形態の支持部材１６は、枠体乃至は筒体形状とされた支持部材本体２２を含んで構成されている。この支持部材本体２２は、帯状のボール紙が長手方向で適当な間隔を空けて形成された複数（本実施形態では、四つ）の折り目で折り曲げられると共に、長手方向両端に位置する折曲片２４，２６同士が接着剤で貼り付けられた構造とされており、全体として略一定の矩形断面で延びる枠体乃至は筒体形状とされている。
【００５３】
また、本実施形態の支持部材本体２２にあっては、図７に示されているように、折曲片２４，２６同士が貼り付けられたことで構成された厚肉壁部２８に対して対向位置せしめられる対向壁部３０の中央部分において、複数本（本実施形態では、四本）の切り込み３２が放射状に形成されている。これにより、対向壁部３０には、厚さ方向に折り曲げ可能な接触片としての舌片状接触片３４が複数（本実施形態では、八つ）形成されている。そして、これら複数の舌片状接触片３４が基端部分で厚さ方向に折り曲げられることにより、多角形断面（本実施形態では、八角形断面）で開口する挿込孔３６が出現するようになっている（図４参照）。
【００５４】
更にまた、本実施形態では、上述の如き構造とされた支持部材本体２２に対して、中間支持体３８が取り付けられている。この中間支持体３８は、ボール紙の長手方向両端が厚さ方向で同じ側に折り曲げられることによって形成されており、全体として、一対の脚板４０，４０が天板４２で連結された形状を呈している。
【００５５】
また、図面上では明示されていないが、かかる天板４２の中央部分には、複数本（本実施形態では、四本）の切り込みが放射状に形成されている。これにより、天板４２には、厚さ方向に折り曲げ可能な接触片としての舌片状接触片４４が複数（本実施形態では、八つ）形成されている（図６参照）。そして、これら複数の舌片状接触片４４が基端部分で厚さ方向に折り曲げられることにより、多角形断面（本実施形態では、八角形断面）で開口する支持孔（図示せず）が出現するようになっている。
【００５６】
このような中間支持体３８は、厚肉壁部２８と対向壁部３０の対抗面間に位置せしめられるようにして、支持部材本体２２内に収容される。そして、各脚板４０が支持部材本体２２の内周面に接着剤で接着されることにより、中間支持体３８が支持部材本体２２に取り付けられるようになっている。
【００５７】
そこにおいて、本実施形態では、このようにして、中間支持体３８が支持部材本体２２に取り付けられた状態で、天板４２が対向壁部３０と厚肉壁部２８の両方に対して平行とされている。また、支持部材本体２２に出現する挿込孔３６と中間支持体３８に出現する支持孔が、同一中心軸上に位置せしめられるようになっている。
【００５８】
このような構造とされた支持部材１６は、周壁部材１８で構成された周壁２０内に収容されるようになっている。本実施形態の周壁部材１８は、ボール紙に複数（本実施形態では、四つ）の折り目４６ａ〜ｄが形成されたことで形状や大きさが規定された、複数（本実施形態では、五つ）の板状体としての帯板状片４８ａ〜ｅが、折り目４６ａ〜ｄで折り曲げ可能に連結された構造とされている。なお、以下の説明においては、図４における右端の帯板状片４８を第一の帯板状片４８ａといい、第一の帯板状片４８ａの隣りを第二の帯板状片４８ｂといい、第二の帯板状片４８ｂの隣りを第三の帯板状片４８ｃといい、第三の帯板状片４８ｃの隣りを第四の帯板状片４８ｄといい、第四の帯板状片４８ｄの隣りを第五の帯板状片４８ｅというものとする。
【００５９】
そして、周壁部材１８は、折り目４６ａ〜ｄで互いに折り曲げられて、複数の帯板状片４８ａ〜ｅが筒状とされることにより、略一定の矩形断面でストレートに延びる周壁２０を構成するようになっている。その際、本実施形態では、第五の帯板状片４８ｅが第一の帯板状片４８ａに対して外側から重ね合わせられるようになっている（図２参照）。
【００６０】
このような周壁部材１８における長手方向一端側、即ち、複数の帯板状片４８ａ〜ｅの展開方向に直交する方向の一端側（図４の下端側）に対して、支持部材１６が取り付けられるようになっている。より詳細には、本実施形態の場合、厚紙で形成されて、第一の帯板状片４８ａと第三の帯板状片４８ｃの間に架け渡される駆動力伝達テープとしての帯状取付片５０が、その長手方向中央部分に支持部材１６が取り付けられた状態で、長手方向一方の端部が第一の帯板状片４８ａに対して接着剤で貼り付けられると共に、長手方向他方の端部が第三の帯板状片４８ｃに対して接着剤で貼り付けられることにより、支持部材１６が、第二の帯板状片４８ｂにおける長手方向一端側に重ね合わせられた状態で、周壁部材１８の長手方向一端側に取り付けられるようになっている。
【００６１】
そこにおいて、本実施形態では、帯状取付片５０の長手方向中央部分が支持部材本体２２の折曲片２４，２６に挟まれた状態で接着されることにより、帯状取付片５０の長手方向中央部分が支持部材１６に取り付けられている。これにより、支持部材本体２２における厚肉壁部２８（折曲片２６）が第二の帯板状片４８ｂに重ね合わされるようになっている。その結果、支持部材本体２２に出現する挿込孔３６と中間支持体３８に出現する支持孔が、それぞれ、展開状態の周壁部材１８の表面（筒状態の周壁部材１８において内周面となる面）、特に、支持部材１６が重ね合わされる第二の帯板状片４８の表面に対して略垂直な方向に向って開口するようになっている。
【００６２】
また、本実施形態では、上述の如く、支持部材１６に取り付けられた状態で、帯状取付片５０が厚肉壁部２８の一端側に位置せしめられている。
【００６３】
さらに、本実施形態では、帯状取付片５０の幅方向一方（図４における下方）の縁が周壁部材１８の長手方向一方（図４における下方）の縁に沿うようにして、帯状取付片５０の長手方向一方の端部が第一の帯板状片４８ａに貼り付けられていると共に、帯状取付片５０の長手方向他方の端部が第三の帯板状片４８ｃに貼り付けられている。これにより、支持部材１６は、挿込孔３６や支持孔が周壁部材１８に対して略直交する方向に開口している状態（周壁部材１８から起き上がった状態）で、その一部分が第二の帯板状片４８ｂに重ね合わせられるようになっている。
【００６４】
更にまた、本実施形態では、帯状取付片５０における厚肉壁部２８の左右両側において、帯状取付片５０の幅方向一方（図４における下方）から他方（図４における上方）に行くに従って次第に離隔距離が小さくなる谷折用折り目５２，５２が形成されていると共に、厚肉壁部２８の端部（支持部材本体２２の開口端）に沿って、山折用折り目５４，５４が形成されている。
【００６５】
そして、本実施形態では、帯状取付片５０において支持部材１６の左右両側それぞれにある谷折用折り目５２と山折用折り目５４に挟まれている部分は、何れも、帯板状片４８ａ，４８ｃに対して貼り付けられていない。即ち、本実施形態では、帯状取付片５０において支持部材１６の左右両側それぞれにある谷折用折り目５２と山折用折り目５４に挟まれている部分は、何れも、帯板状片４８ａ，４８ｃに対して変位可能とされているのである。これにより、第一の帯板状片４８ａと第三の帯板状片４８ｃのそれぞれが支持部材１６側に折り曲げられると、帯状取付片５０が谷折用折り目５２，５２と山折用折り目５４，５４でそれぞれ折り曲げられるようになっている。その結果、支持部材１６は、第二の帯板状片４８ｂの幅方向に延びる角５６を支点として、第二の帯板状片４８ｂの長手方向他端側に倒れるようになっている。
【００６６】
また、上述の如く、第一の帯板状片４８ａと第三の帯板状片４８ｃのそれぞれが支持部材１６側に折り曲げられた状態から、第一の帯板状片４８ａと第三の帯板状片４８ｃのそれぞれが支持部材１６から離隔する方向に折り曲げられると、谷折用折り目５２，５２と山折用折り目５４，５４でそれぞれ折り曲げられていた帯状取付片５０が引っ張られるようになる。その結果、支持部材１６は、倒れる際の支点となった角５６と同じ角５６を支点として、第二の帯板状片４８ｂの長手方向一端側に起き上がるようになっている。なお、このことから明らかなように、本実施形態では、帯状取付片５０によって連動起立手段が構成されている。
【００６７】
続いて、このような構造とされた花用ギフトパッケージ１０に花１２を収容する方法について説明する。先ず、花用ギフトパッケージ１０を、周壁部材１８が展開状態とされて、支持部材１６が周壁部材１８から起き上がった状態にする。そして、この状態で、花１２の基端部１４を支持部材１６によって支持させる。
【００６８】
そこにおいて、本実施形態では、花１２の基端部（茎の下端部分）１４は、ケース５８に入れられた状態で、支持部材１６によって支持されるようになっている。このケース５８は、有底円筒形状とされたケース本体６０の上側開口が蓋６２によって覆蓋された構造とされており、蓋６２に形成された挿通孔６１に対して茎が挿し通されることで、ケース５８に花１２が入れられるようになっている。そこにおいて、本実施形態の蓋６２は、エラストマーやゴム等の弾性を有する材料で形成されている。また、本実施形態の挿通孔６１は、花１２の茎の外径よりも十分に小さい径方向寸法で形成されている。これにより、挿通孔６１に挿し込まれた花１２の茎が、蓋６２の弾性によって締め付けられることとなる。また、ケース本体６０の開口端付近の外周面も蓋６２の弾性によって締め付けられることとなる。その結果、ケース５８が密封されるようになっている。また、ケース５８内には、ゲル状給水材６３が入っている。このゲル状給水材６３としては、例えば、特開平７−８２１０１号公報や特開平８−１３４４４７号公報等に記載のものが、何れも、採用可能である。そして、このようなゲル状給水材６３が、上述の如き蓋６２を有するケース５８に入れられることで、搬送時等の液漏れが一層有利に回避されるようになっている。
【００６９】
なお、ゲル状給水材６３の代わりに、水、或いは水に栄養剤などの適当な添加材を添加したものをケース５８に収容しても良い。或いは、栄養剤や水，殺菌剤を含ませたスポンジやティッシュ，綿等を採用することも可能である。その場合には、特にケース５８を用いることなく、スポンジやティッシュ，綿等を直接に花１２の基端部（茎の下端部分）１４に装着しても良い。また、ケース５８の代わりに、例えば、特開平８−１３０９８１号公報や特開平９−４７１５４号公報等に記載の容器を採用することも可能である。
【００７０】
そして、花１２が入れられたケース５８は、支持部材本体２２の対向壁部３０に形成された四つの切り込み３２が交叉する部分と、中間支持体３８の天板４２に形成された四つの切り込みが交叉する部分に、順次、押し当てられるようになっている。これにより、対向壁部３０に形成された八つの舌片状接触片３４が基端部分で折り曲げられて、ケース５８（ケース本体６０）が挿込孔３６に挿し込まれた後、天板４２に形成された八つの舌片状接触片４４が基端部分で折り曲げられて、ケース５８（ケース本体６０）が支持孔に挿し込まれるようになっている。即ち、ケース５８は、ケース本体６０が挿込孔３６と支持孔に挿し込まれて、周壁部材１８に対して略直交する方向に突出した状態で、支持部材１６によって支持されるようになっているのである。その際、対向壁部３０に形成された八つの舌片状接触片３４と天板４２に形成された八つの舌片状接触片４４は、何れも、ケース５８（ケース本体６０）の外周面に接触している。
【００７１】
そして、上述の如く、花１２の基端部１４が支持部材１６によって支持された状態から第一の帯板状片４８ａと第三の帯板状片４８ｃを支持部材１６側に折り曲げると、帯状取付片５０が谷折用折り目５２，５２と山折用折り目５４，５４で折り曲げられることにより、支持部材１６が第二の帯板状片４８ｂの長手方向他端側に倒れるようになっている。
【００７２】
特に、本実施形態では、第一の帯板状片４８ａと第三の帯板状片４８ｃを支持部材１６に当接するまで折り曲げると、支持部材１６は第二の帯板状片４８ｂに対して側面が当接するようになっている（図３参照）。その際、支持部材１６で支持されたケース５８の中心軸線は、第一乃至第三の帯板状片４８ａ〜ｃに対して平行に延びている。即ち、挿込孔３６と支持孔は、何れも、支持部材１６の側面が第二の帯板状片４８ｂに当接した状態で、周壁２０の中心軸方向に向って開口しているのである。このことから明らかなように、本実施形態の挿込孔３６と支持孔は、何れも、周壁部材１８の状態変化（特に本実施形態では、第一及び第三の帯板状片４８ａの第二の帯板状片４８ｂに対する相対位置の変化）により、開口方向が略９０度変化するようになっている。
【００７３】
そして、上述の如く、支持部材１６の側面が第二の帯板状片４８ｂに当接した状態、即ち、支持部材１６が第二の帯板状片４８ｂに寝かされた状態から第四の帯板状片４８ｄを支持部材１６に重なるまで折り曲げた後、第五の帯板状片４８ｅを第一の帯板状片４８ａに重ね合わせられるまで折り曲げることにより、複数の帯板状片４８ａ〜ｅが筒状とされる。これにより、支持部材１６がその周囲を周壁２０で取り囲まれるようになっている。その結果、支持部材１６で支持されたケース５８に入れられている花１２も、その周囲を周壁２０で取り囲まれるようになっている。
【００７４】
その後、周壁２０にリボン６４が括り付けられることにより、複数の帯板状片４８ａ〜ｅが筒状に維持されるようになっている。このことから明らかなように、本実施形態では、リボン６４によって筒状態保持手段が構成されている。なお、図面上では必ずしも明らかではないが、本実施形態のリボン６４は、一方の端部が接着剤等で第五の帯板状片４８ｅに取り付けられている一方、他方の端部がステッカー６５によって第四の帯板状片４８ｄに取り付けられている。
【００７５】
このような花用ギフトパッケージ１０を貰った人には、先ず、リボン６４を解いてもらう。次に、第五の帯板状片４８ｅを反時計回りの方向に展開しながら、第四の帯板状片４８ｄを反時計回りの方向に展開してもらう。そして、第一の帯板状片４８ａを時計回りの方向に展開しながら、第三の帯板状片４８ｃを反時計回りの方向に展開してもらう。これにより、帯状取付片５０が長手方向に引っ張られて、支持部材１６が第二の帯板状片４８ｂから起き上がってくる。その結果、支持部材１６で支持されたケース５８に入れられている花１２も起き上がってくる。
【００７６】
そして、第一の帯板状片４８ａと第三の帯板状片４８ｃの展開が終了すると、支持部材１６が周壁部材１８から起き上がった状態となる。その結果、支持部材１６で支持されたケース５８に入れられている花１２が外部に露出せしめられることとなる。因みに、本実施形態では、展開状態とされた周壁部材１８（複数の帯板状片４８）に対する支持部材１６の起き上がり角度：αは、略９０度とされている。また、起き上がった支持部材１６は、帯状取付片５０によって、展開状態とされた帯板状片４８ａ〜ｃに位置決め保持されるようになっている。即ち、本実施形態では、連動起立手段を構成する帯状取付片５０によって、起立状態保持手段が構成されている。
【００７７】
従って、このような構造とされた花用ギフトパッケージ１０を貰った人には、花用ギフトパッケージ１０を開けることで、花用ギフトパッケージ１０に収容されている花１２が取り出されて、目の前に差し出されたかの如き印象を与えることが可能となる。これにより、花用ギフトパッケージ１０を貰った人を驚かせつつも、喜ばせることが可能となる。その結果、花用ギフトパッケージ１０を貰った人を喜ばせるような演出効果を発揮することが可能となる。
【００７８】
また、展開された周壁部材１８に対して支持部材１６が起き上がった状態で、花１２が入れられたケース５８を支持部材１６によって支持させるようになっていることから、ケース５８を支持部材１６によって支持させる作業（ケース５８を挿込孔３６と支持孔に挿し込む作業）を広い作業スペースで行うことが可能となる。即ち、周壁２０によって支持部材１６の周囲が囲まれた状態で、ケース５８を支持部材１６で支持させる作業を行わなくても良いのである。その結果、ケース５８を支持部材１６で支持させる作業を効率良く行うことが可能となる。そして、ケース５８を支持部材１６で支持させる作業を効率良く行うことが可能になるということは、即ち、ケース５８を支持部材１６から取り外す作業を効率良く行うことが可能になることも意味する。
【００７９】
更にまた、複数の帯板状片４８ａ〜ｅを筒状にすることにより、花１２の周囲が周壁２０で取り囲まれるようになっていることから、花１２を周壁２０内に収容する作業を効率良く行うことも可能となる。
【００８０】
また、本実施形態では、ケース５８が支持部材本体２２に形成された挿込孔３６と中間支持体３８に形成された支持孔の両方に挿し込まれていることから、ケース５８の支持状態を安定させることが可能となる。
【００８１】
更にまた、本実施形態では、ケース５８が挿込孔３６と支持孔の両方に挿し込まれた状態で、ケース５８の外周面に舌片状接触片３４，４４が当接せしめられていることから、ケース５８の支持状態を更に安定させることが可能となる。
【００８２】
また、本実施形態では、中間支持体３８が支持部材本体２２に組み付けられた構造とされていることから、支持部材本体２２、延いては、支持部材１６の部材強度を有利に確保することが可能となる。
【００８３】
更にまた、本実施形態では、複数の帯板状片４８ａ〜ｅが筒状とされた状態で、これら複数の帯板状片４８ａ〜ｅのそれぞれに対して支持部材１６が当接せしめられていることから、周壁２０において支持部材１６が当接せしめられた部分とその近辺での断面の変形を有利に回避することが可能となる。
【００８４】
また、本実施形態では、周壁部材１８の長手方向一端に支持部材１６が取り付けられていることから、周壁２０内に形成される収容スペースを大きく確保することが可能となる。
【００８５】
更にまた、本実施形態では、周壁部材１８が展開された状態で、支持部材１６が周壁部材１８から起き上がっていることから、そのままの状態で花１２を飾ることが可能となる。
【００８６】
また、本実施形態では、支持部材１６が枠体乃至は筒体形状とされていることから、支持部材１６に必要な部材強度を確保しつつ、支持部材１６の製造を容易にすることが可能となる。
【００８７】
更にまた、本実施形態では、対向壁部３０における四つの切り込み３２の交わる部分にケース５８が押し当てられることにより、舌片状接触片３４が基端部分で折り曲げられて、挿込孔３６が形成されるようになっていることから、挿し込まれるケース５８の大きさに対して柔軟に対応することが可能となる。
【００８８】
次に、本考案の第二の実施形態について、図８及び図９に基づいて、説明する。なお、以下に記載の第二乃至第四の実施形態の説明において、第一の実施形態と同様な構造とされた部材及び部位については、図中に、第一の実施形態と同一の符号を付すことにより、それらの詳細な説明を省略する。
【００８９】
本実施形態の花用ギフトパッケージ６６は、第一の実施形態の花用ギフトパッケージ（１０）に比して、第二の帯板状片４８ｂにおける長手方向一端側の縁に、鉄鋼等で形成された金属片６８が接着剤等で貼り付けられている。
【００９０】
また、図面上では必ずしも明らかではないが、本実施形態では、支持部材本体２２において第二の帯板状片４８ｂに重ね合わせられる折曲片７０は、一対の延出片７２，７２で構成されている。そして、これら一対の延出片７２，７２の間に挟まれる位置であって、且つ、支持部材１６が周壁部材１８から起き上がった状態で金属片６８に対して重ね合わせられる位置に、プレート状の磁石７４が配設されている。なお、本実施形態の磁石７４は、帯状取付片５０に対して接着剤で接着されることにより、一対の延出片７２，７２の間に配設されている。
【００９１】
このような構造とされた花用ギフトパッケージ６６においては、周壁部材１８の展開に連動して支持部材１６によるケース５８の支持方向が変化するようになっていることから、第一の実施形態と同様な効果を得ることが出来る。
【００９２】
また、本実施形態では、支持部材１６が周壁部材１８から起き上がった状態で、支持部材１６側に配設された磁石７４が第二の帯板状片４８ｂ側に設けられた金属片６８に重ね合わせられるようになっていることから、磁力の作用によって、磁石７４と金属片６８が引っ付くこととなる。これにより、支持部材１６と第二の帯板状片４８ｂが重なった状態を維持することが可能となる。その結果、支持部材１６が周壁部材１８から起き上がった状態を安定させることが可能となる。なお、このことから明らかなように、本実施形態では、磁石７４と金属片６８によって起立状態保持手段が構成されている。
【００９３】
続いて、本考案の第三の実施形態について、図１０に基づいて、説明する。本実施形態の花用ギフトパッケージ７６においては、第一の実施形態の花用ギフトパッケージ（１０）に比して、第二の帯板状片４８ｂにおける長手方向他端側、即ち、複数の帯板状片４８ａ〜ｅの展開方向に直交する方向の他端側に、蓋部材としての蓋板片７８が、第二の帯板状片４８ｂに対して折り目８０で折り曲げ可能に設けられている。これにより、周壁２０の開口が軸方向他端側（支持部材１６が取り付けられている側とは反対の側）で、蓋板片７８によって覆蓋されるようになっている。
【００９４】
そこにおいて、本実施形態では、蓋板片７８の先端側が折り目８２で折り曲げられて、周壁２０内に入れられることにより、蓋板片７８による開口覆蓋状態が維持されるようになっている。なお、本実施形態では、このような蓋板片７８を採用していることにより、蓋板片７８を展開して、周壁２０内と外部を連通させなくても、周壁部材１８の展開が出来るようになっている。
【００９５】
このような構造とされた花用ギフトパッケージ７６においては、周壁部材１８の展開に連動して支持部材１６によるケース５８の支持方向が変化するようになっていることから、第一の実施形態と同様な効果を得ることが出来る。
【００９６】
また、本実施形態では、周壁２０の開口が軸方向他端側（支持部材１６が取り付けられている側とは反対の側）において、蓋板片７８で覆蓋されるようになっていることから、花用ギフトパッケージ７６の中を直ぐに確認できないようになっている。その結果、花用ギフトパッケージ７６を貰った人に対して、花用ギフトパッケージ７６の中身を想像する楽しみや花用ギフトパッケージ７６を開ける楽しみを与えることが可能となる。
【００９７】
なお、図１１に示されている、本考案の第四の実施形態としての花用ギフトパッケージ８６のように、第一の帯板状片４８ａにおける周壁２０の内周面側に対して、長手方向一端側で一軸回りに回転可能とされた架渡部材としてのプレート８４を設けておき、周壁部材１８が展開された状態で、プレート８４を一軸回りに回転させることにより、図１２に示されているように、プレート８４を第一の帯板状片４８ａから第五の帯板状片４８ｅの間に架け渡すようにしても良い。これにより、周壁部材１８の展開状態を容易に維持することが可能となる。なお、このことから明らかなように、この場合、プレート８４によって展開状態保持手段が構成されている。また、本実施形態においても、第五の帯板状片４８ｅや中間支持体３８，舌片状接触片３４，４４は必ず必要なものではない。
【００９８】
次に、図１３には、本考案の第五の実施形態としての花用ギフトパッケージ１００が示されている。この花用ギフトパッケージ１００は、図１４〜１５に示された基本構造体１０２と支持部材としての支持箱体１０４から構成されている。
【００９９】
基本構造体１０２は、図１４に展開図が示されているように、所定の外周形状をもって切り出された一枚の厚紙によって構成されており、この一枚の厚紙を適当に折り曲げることによって、周壁部材（周壁）１０６を供えた外函１１２と、駆動力伝達部材１１４とを、一体的に形成するようになっている。
【０１００】
なお、基本構造体１０２を折り曲げることで上記外函１１２および駆動力伝達部材１１４を構成するに際して、図１４〜１５において基本構造体１０２上に示された破線は谷折り線を示し、一点鎖線は山折り線を表す。
【０１０１】
具体的には、基本構造体１０２は、図１４に示されているように、それぞれ図中の上下に長い矩形平板形状を有する３枚の壁板が並列的に連設されて、中央壁板１１６、左壁板１１８、右壁板１２０とされている。また、左壁板１１８には、更に左外側に略矩形平板形状の内扉壁板１２２が連設されていると共に、右壁板１２０には、更に右外側に略矩形平板形状の外扉壁板１２４が連設されている。
【０１０２】
そして、これら５枚の壁板１１６，１１８，１２０，１２２，１２４が、各連設部において直角に谷折りされることにより、内扉壁板１２２と外扉壁板１２４が重ね合わされて、全体として矩形筒状の周壁を構成するようになっている。
【０１０３】
なお、外扉壁板１２４の外側端縁部中央には、係止突片１２６が一体形成されていると共に、矩形筒状の周壁を構成した際に、この係止突片１２６が位置せしめられる部分に対応する、左壁板１１８と内扉壁板１２２との連結部位には、係止孔１２８が貫設されている。そして、５枚の壁板１１６，１１８，１２０，１２２，１２４を各連設部で折り曲げて矩形筒状の周壁体とした状態で、係止突片１２６を係止孔１２８に差し入れることにより、この係止突片１２６の係止孔１２８に対する係止力に基づき、周壁体の開方向への復元力に抗して、かかる周壁体が矩形筒状に維持され得るようになっている。
【０１０４】
また、このことから明らかなように、本実施形態では、内扉壁板１２２と外扉壁板１２４によって、矩形筒状の周壁を周上の一箇所で開閉可能とする開閉部が構成されている。そして、係止突片１２６を係止孔１２８に係止させることで、パッケージを閉じた状態が維持される一方、係止突片１２６の係止孔１２８への係止状態を解除することで、パッケージを開く操作が出来るようになっている。      
【０１０５】
さらに、基本構造体１０２には、中央壁板１１６の上側端縁部から外方に延び出すようにして、上底蓋板１３０が一体形成されている。この上底蓋板１３０は、周壁で構成される矩形筒状体の中空内部の断面形状に対応した略正方形の平板形状とされている。
【０１０６】
また、上底蓋板１３０には、左右両縁部をそれぞれ左右壁板１１８，１２０の上端縁部に連結せしめる連結板部１３２，１３４が一体形成されている。そして、周壁が開閉操作された際に、これら連結板部１３２，１３４によって、左右壁板１１８，１２０の開閉作動と連動して、上底蓋板１３０が開閉方向に駆動変位せしめられるようになっている。要するに、左右の連結板部１３２，１３４により、パッケージの開閉操作に際して上底蓋板１３０を連動的に開閉作動せしめる連動機構が構成されているのである。
【０１０７】
なお、上底蓋板１３０の上端縁部には、更に外方に延び出す上蓋係止片１３６が屈曲可能に一体形成されている。そして、矩形筒状の周壁が閉状態で形成された状態下で、この上蓋係止片１３６が、上底蓋板１３０で覆蓋された周壁の上側開口部の隙間に差し入れられることにより、上底蓋板１３０による周壁の上側開口部の覆蓋状態が安定して維持されるようになっている。
【０１０８】
一方、基本構造体１０２には、中央壁板１１６および左右壁板１１８，１２０の下側端縁部から外方に延び出すようにして、折返し板部１３８が一体形成されている。この折返し板部１３８は、図１５に示されているように、基本構造体１０２の展開状態で、中央壁板１１６および左右壁板１１８，１２０との連結部分で折り返されて、それら中央壁板１１６および左右壁板１１８，１２０の内面に重ね合わされるようになっている。
【０１０９】
また、このように折り返された折返し板部１３８は、その折り返し部分の各端縁部（図１５中に破線のクロスハッチを付した下端縁部）が、中央壁板１１６および左右壁板１１８，１２０の内面に接着された糊代１４０とされている。なお、この糊代１４０は、中央壁板１１６への重ね合わせ部分では一定寸法で全幅に亘って延びる上げ底固着部１４０ａとされている一方、左右壁板１１８，１２０への重ね合わせ部分では両側外方に行くに従って次第に糊代寸法が大きくされて略４５度で図１５中の上方に向かって傾斜した傾斜固着部１４０ｂ，１４０ｃとされている。
【０１１０】
そして、折返し板部１３８は、その糊代１４０との境界線上において、図１５中の谷折れ方向に屈曲可能とされており、かかる谷折れによって、糊代１４０を除く部分が、糊代１４０との境界線を起点として、中央壁板１１６および左右壁板１１８，１２０の内面から立ち上がるようになっている。
【０１１１】
特に、この折返し板部１３８において立ち上がる部分は、図１５に示された周壁の展開状態（開状態）において、中央壁板１１６に重ね合わされる中央台板部１４２と左右の壁板１１８，１２０に重ね合わされる左右伝動板部１４４，１４６から構成されている。中央台板部１４２は、前述の上底蓋板１３０と同様に略正方形板状とされていると共に、左右伝動板部１４４，１４６は、何れも、略三角形板状とされている。
【０１１２】
そして、前述の如く周壁が開閉操作された際に、左右伝動板部１４４，１４６を介して中央台板部１４２に対して、左右壁板１１８，１２０の開閉操作力が伝動されることとなり、それにより、周壁の開閉作動と連動して、中央台板部１４２が、糊代１４０との連結部位である下端縁部で屈曲変位されるようになっている。特に、かかる中央台板部１４２は、図１５に示された展開状態（開状態）から左右壁板１１８，１２０を立ち上げて閉状態とする操作に伴って、中央壁板１１６の内面上で略９０度立ち上げられ、閉状態で構成される矩形筒状のパッケージにおける下側開口部を覆蓋する下底蓋体として機能し得るようになっている。
【０１１３】
なお、このことから明らかなように、本実施形態では、中央台板部１４２と左右伝動板部１４４，１４６によって前記駆動力伝達部材１１４が構成されていると共に、中央台板部１４２によって下底蓋体が構成されている。
【０１１４】
また、中央台板部１４２において、糊代１４０と反対の端縁部には、更に外方に延び出す固着片１４８が一体形成されている。特に、この固着片１４８は、中央台板部１４２の端縁部に対して山折り状に容易に自由屈曲可能に連結されている。そして、この固着片１４８に対して、支持箱体１０４の底面が密着状態で固着されている。
【０１１５】
かかる支持箱体１０４は、前記第一実施形態における支持部材１６と略同様な構造とされている。概略再記すると、図１６に示されているように、中空の矩形箱体構造とされており、例えば厚紙を折り畳んで接着することで六面体とすること等によって形成され得る。その上底壁部１５０には、中央に開口して保持穴１５２が設けられており、この保持穴１５２によって、前述の第一の実施形態におけるケース５８等を用いて、図示しない花の基端部が固定的に保持され得るようになっている。
【０１１６】
そして、この支持箱体１０４は、その下底壁部の外面において、駆動力伝達部材１１４の固着片１４８に重ね合わされて固着されており、図１５に示された展開状態（パッケージの開状態）では、固着片１４８が駆動力伝達部材１１４と共に中央壁板１１６の内面に密着状態で展開されることによって、支持箱体１０４が、その保持穴１５２を中央壁板１１６と反対側に向けて開口する状態で支持されるようになっている。
【０１１７】
一方、このパッケージの開状態から次第に周壁を閉じて行くと、図１７に示されているように、駆動力伝達部材１１４が次第に周壁から離隔する方向に立ち上がって中央台板部１４２が次第に中央壁板１１６から立ち上がるのに伴って、固着片１４８が、その中央壁板１１６との連結部における折り畳み状態への復元力と支持箱体１０４やそこに装着される花等の重量も作用して、中央壁板１１６との連結部で次第に山折り状に折り畳まれるようになっている。その結果、固着片１４８上の支持箱体１０４が、その向きを変え、最終的にパッケージが閉じられた状態では、その保持穴１５２を矩形筒状の周壁の軸方向に向けるようにして、周壁内に収容されるようになっている。
【０１１８】
特に、本実施形態では、六面体形状の支持箱体１０４の一つの角辺部が面取り状に角が落とされた面取部分１５４とされている。そして、この面取部分１５４が、固着片１４８における中央台板部１４２への連結側端縁部と反対の端縁部に位置するようにして、支持箱体１０４が固着片１４８に取り付けられている。これにより、図１７に示されている如き、周壁の開閉作動に伴う固着片１４８の屈曲変化に際して、支持箱体１０４は、中央壁板１１６の面上で、よりスムーズに回動しつつ滑動することで展張および回動せしめられるようになっている。なお、中央壁板１１６の面上における支持箱体１０４の転動をよりスムーズに実現するために、支持箱体１０４の面取部分１５４を湾曲形状とする等も可能である。
【０１１９】
従って、上述の如き構造とされた本実施形態の花用ギフトパッケージ１００においては、周壁部材１０６と駆動力伝達部材１１４を一体構造として簡便に形成することが出来ると共に、パッケージの開閉と連動させて上下底蓋を開閉させることも可能となる。
【０１２０】
加えて、本実施形態の花用ギフトパッケージ１００においては、それを開いた状態で、図１３に示されているように、展開状態にある中央壁板１１６と左右壁板１１８，１２０の内面に対して駆動力伝達部材１１４が密着状態で重ね合わされると共に、かかる状態下において、中央壁板１１６と左右壁板１１８，１２０の連結部位において残存する僅かな閉方向への屈曲状態が、駆動力伝達部材１１４における中央台板部１４２と左右伝動板部１４４，１４６の連結部位においてそれぞれ同様に生ぜしめられるようになっている。
【０１２１】
これにより、周壁を構成する中央壁板１１６に対する左右壁板１１８，１２０のそれ以上の閉方向への作動に対して、駆動力伝達部材１１４が突っ張ることで阻止力が作用せしめられることとなる。同時に、駆動力伝達部材１１４における中央台板部１４２の中央壁板１１６からの立ち上がりも阻止される。
【０１２２】
その結果、周壁の展開状態において手指等で外力を加え続ける必要がなく、テーブル等の平坦面上に展開状態とした花用ギフトパッケージ１００を載置するだけで、中央台板部１４２で支持された支持箱体１０４を、中央壁板１１６の内面上で起き上がった状態に保持してそれに支持された花等を、より安定して起立状態に支持せしめることが可能となるのである。
【０１２３】
続いて、図１８には、本考案の第六の実施形態としての花用ギフトパッケージ１６０が示されている。この花用ギフトパッケージ１６０は、基本構造体１６２と支持部材としての支持箱体１６４から構成されている。
【０１２４】
基本構造体１０２は、図１９に展開図が示されているように、それぞれ所定の外周形状をもって切り出された一枚の厚紙によって構成された筐構造体１６６と駆動力伝達部材１６８から構成されている。
【０１２５】
筐構造体１６６は、前記第五の実施形態と略同様に、中央壁板１７０の左右両側に左右壁板１７２，１７４が一体的に且つ屈曲可能に連結されている。更に、左壁板１７２の外側には、内扉壁板１７６が一体的に連設されていると共に、右壁板１７４の外側には、外扉壁板１７８が一体的に連設されている。
【０１２６】
なお、これら内外扉壁板１７６，１７８は、何れも折り返された二重壁構造とされている。また、左右壁板１７２，１７４の各上下両端縁部には、外方に延び出す保持連結板１８０，１８２がそれぞれ一体形成されている。そして、これら保持連結板１８０，１８２が、左右壁板１７２，１７４に対して略直角に折り曲げられており、各保持連結板１８０，１８２に一体形成された係止片１８４，１８６が、それぞれ、内外扉壁板１７６，１７８において折り返された二重壁構造の上下両端縁部の隙間に対して差し入れられて固定されるている。これによって、図１８，２０に示されているように、パッケージの開閉状態に拘わらず、内扉壁板１７６と外扉壁板１７８が、それぞれ、左壁板１７２と右壁板１７４に対して略直角に屈曲して連設された状態に保持されるようになっている。
【０１２７】
また、中央壁板１７０の上下各端縁部には、上底蓋板１８８と下底蓋板１９０が延び出して一体的に且つ屈曲可能に連設されている。また、これら上底蓋板１８８と下底蓋板１９０には、それぞれ、最外側端縁部に対して係止片１９２，１９４が屈曲可能に一体形成されている。そして、周壁を閉じて矩形筒状とされたパッケージの上下の各開口端部において、上底蓋板１８８と下底蓋板１９０が、筒体の軸直角方向に広がるように屈曲されることにより、それら上下の開口部を覆蓋するようになっている。
【０１２８】
一方、駆動力伝達部材１６８は、図１９に略展開図が示されていると共に、図２０に作動状態を示す斜視図が示されているように、正方形状とされた中央台板部１９６の左右両側に略三角形の左右伝動板部１９８，２００が一体的に且つ屈曲可能に連設されている。
【０１２９】
そして、この駆動力伝達部材１６８は、展開状態とされた周壁の下端部近くに位置して、中央台板部１９６が中央壁板１７０の上に重ね合わされていると共に、左右伝動板部１９８，２００が左右壁板１７２，１７４に重ね合わされている。また、かかる中央台板部１９６は、その上端縁部に屈曲可能に延設された接着片２０２が中央壁板１７０に接着されていると共に、左右伝動板部１９８，２００は、それらの両側端縁部（これら両側端縁部は、略４５度で上方に行くに従って次第に中央台板部１９６に近づくように傾斜せしめられている）からそれぞれ屈曲可能に延設された接着片２０４，２０６が左右壁板１７２，１７４に接着されている。
【０１３０】
これにより、駆動力伝達部材１６８は、周壁の左右壁板１７２，１７４の閉作動に従って、左右伝動板部１９８，２００を介して中央台板部１９６に駆動力が伝達されるようになっており、その結果、左右伝動板部１９８，２００と中央台板部１９６が、それぞれ、左右壁板１１８，１２０と中央壁板１１６から立ち上がるように駆動変位せしめられるようになっている。また、反対に、周壁の閉状態から左右壁板１７２，１７４を開作動させると、駆動力伝達部材１６８に力が伝達されて、立ち上げられていた左右伝動板部１９８，２００と中央台板部１９６が、それぞれ、左右壁板１１８，１２０と中央壁板１１６に対して寝ていって最終的に重なるように連動して作動せしめられるようになっている。
【０１３１】
さらに、中央台板部１９６の下端縁部（接着片２０２と反対の端縁部）には、連動板部２０８が一体的に且つ屈曲可能に延び出して連設されている。そして、この連動板部２０８の延出先端縁部に一体的に屈曲可能に連設された接着片２１０が、折り返された状態で下底蓋板１９０の内面に重ね合わされて接着されている。
【０１３２】
すなわち、この連動板部２０８の機能により、周壁の閉作動に際して上述の如く駆動力伝達部材１６８における中央台板部１９６の立ち上げられた力が下底蓋板１９０に伝達されるようになっている。その結果、周壁の閉作動と連動して、立ち上がる下底蓋板１９０で引っ張られるようにして連動板部２０８が上方に変位せしめられることに伴い、下底蓋板１９０が中央壁板１７０に対して次第に屈曲して立ち上げられて、最終的に閉状態とされた矩形筒状の周壁において、その下部開口を覆蓋する状態に下底蓋板１９０が案内されると共に保持されるようになっている。
【０１３３】
また、支持箱体１６４は、前記第五の実施形態と同様な中空の矩形箱体（六面体）形状とされている。特に、本実施形態では、支持箱体１６４が起き上がりに際して中央壁板内面を滑動することがないから、支持箱体１６４における角面取りは必要でない。
【０１３４】
そして、この支持箱体１６４の底面が、駆動力伝達部材１６８の中央台板部１９６の表面に重ね合わされて固着されている。
【０１３５】
上述の如き構造とされた本実施形態の花用ギフトパッケージ１６０においても、図１８及び図２０に示されているように、周壁の開閉作動に連動して駆動力伝達部材１６８の左右伝動板部１９８，２００を介して、周壁の開閉操作力が中央台板部１９６に伝達せしめられて、該中央台板部１９６ひいてはそこに固着された支持箱体１６４が、周壁を構成する中央壁板１７０に対する立ち上がり方向や寝る方向にむけて変形変位せしめられる。
【０１３６】
その結果、支持箱体１６４の上面に突出状態で支持せしめられる図示しない花が、花用ギフトパッケージ１６０の周壁を閉じた状態ではパッケージ内で軸方向に延びる状態で効率的に保護されつつ収容保持される一方、周壁の開操作と共に連動して立ち上がり、開状態下では、展開された中央壁板１７０の内面上に立ち上がるようにして支持されることとなるのである
【０１３７】
以上、本考案の幾つかの実施形態について詳述してきたが、これらはあくまでも例示であって、本考案は、かかる実施形態における具体的な記載によって、何等、限定的に解釈されるものではない。
【０１３８】
例えば、前記第一乃至第三の実施形態において、第五の帯板状片４８ｅや中間支持体３８，舌片状接触片３４，４４は必ず必要なものではない。
【０１３９】
また、支持部材を従来から公知のゴム材料で形成し、かかるゴム製の支持部材に対して挿込孔を形成するようにしても良い。この場合、ゴムの弾性による締付力を利用して、花の基端部の位置保持を有利に実現することが可能となる。
【０１４０】
更にまた、支持部材はボックス形状やブロック形状であっても良い。
【０１４１】
また、第五および第六の実施形態に示された各駆動力伝達部材１１４，１６８における固着片や接着片は、テープ等で代用することが可能である。また、各支持箱体１０４，１６４は、駆動力伝達部材１６８と別体で後固着する他、駆動力伝達部材１６８と一体形成することも可能である。
【０１４２】
その他、一々列挙はしないが、本考案は、当業者の知識に基づいて、種々なる変更，修正，改良等を加えた態様において実施され得るものであり、また、そのような実施態様が、本考案の趣旨を逸脱しない限り、何れも、本考案の範囲内に含まれるものであることは、言うまでもない。
【図面の簡単な説明】
【０１４３】
【図１】本考案の第一の実施形態としての花用ギフトパッケージの正面図。
【図２】同花用ギフトパッケージの底面図。
【図３】図２におけるＩＩＩ−ＩＩＩ断面図。
【図４】同花用ギフトパッケージの周壁部材の展開状態を示す平面図。
【図５】同花用ギフトパッケージの周壁部材の展開状態を示す正面図。
【図６】同花用ギフトパッケージの周壁部材の展開状態を示す右側面図。
【図７】未だケースが挿し込まれていない状態での支持部材の平面図。
【図８】本考案の第二の実施形態の花用ギフトパッケージの要部を示す正面図。
【図９】図８におけるＩＸ−ＩＸ断面図。
【図１０】本考案の第三の実施形態の花用ギフトパッケージの周壁部材の展開状態を示す平面図。
【図１１】本考案の第四の実施形態の花用ギフトパッケージの周壁部材の展開状態を示す平面図。
【図１２】同花用ギフトパッケージにおいてプレートが架け渡された状態を示す平面図。
【図１３】本考案の第五の実施形態としての花用ギフトパッケージを略展開状態で示す斜視図。
【図１４】図１３に示された花用ギフトパッケージを構成する基本構造体の切出状態の展開説明図。
【図１５】図１４に示された基本構造体の展開状態図。
【図１６】図１３に示された花用ギフトパッケージにおける支持箱体の縦断面説明図。
【図１７】図１３に示された花用ギフトパッケージの開閉操作状態を説明するための要部斜視図。
【図１８】本考案の第六の実施形態としての花用ギフトパッケージを展開作動状態で示す斜視図。
【図１９】図１８に示された花用ギフトパッケージにおける駆動力伝達部材を供えた基本構造体を示す展開状態図。
【図２０】図１８に示された花用ギフトパッケージにおける開閉作動を説明するための要部斜視図。
【符号の説明】
【０１４４】
１０，１００，１６０：花用ギフトパッケージ，１２：花，１４：基端部，１６：支持部材，１８：周壁部材，２０：周壁，４８：帯板状片，５０：帯状取付片，１０２，１６２：基本構造体，１１６，１７０：中央壁板，１１８，１７２：左壁板，１２０，１７４：右壁板，１４２，１９６：中央台板部，１４４，１９８：左伝動板部，１４６，２００：右伝動板部
【図１】
0003142958.tif 000003
【図２】
0003142958.tif 000004
【図３】
0003142958.tif 000005
【図４】
0003142958.tif 000006
【図５】
0003142958.tif 000007
【図６】
0003142958.tif 000008
【図７】
0003142958.tif 000009
【図８】
0003142958.tif 000010
【図９】
0003142958.tif 000011
【図１０】
0003142958.tif 000012
【図１１】
0003142958.tif 000013
【図１２】
0003142958.tif 000014
【図１３】
0003142958.tif 000015
【図１４】
0003142958.tif 000016
【図１５】
0003142958.tif 000017
【図１６】
0003142958.tif 000018
【図１７】
0003142958.tif 000019
【図１８】
0003142958.tif 000020
【図１９】
0003142958.tif 000021
【図２０】
0003142958.tif 000022